(57)【要約】【課題】スタート地点とゴール地点との距離が長い場合であっても競技者のタイムを容易且つ正確に計測することの可能な競技用計測システムを提供する。【解決手段】本発明の競技用計測システムは、競技者Ｐがスタート地点を通過したことを検出すると、スタート信号を、スタート地点とゴール地点とを含むエリアをカバーする無線通信ネットワークＮＷに送信するスタートユニット１０と、競技者Ｐがゴール地点を通過したことを検出すると、ゴール信号を無線通信ネットワークＮＷに送信するゴールユニット２０と、スタート信号とゴール信号とを無線通信ネットワークＮＷを介して受信すると、スタート信号及びゴール信号のうち少なくとも一方を受信したときのタイミングに基づいて競技者Ｐのタイムを計測し、計測したタイムに関する情報を所定の情報出力装置に出力させる表示ユニット３０と、を備える。【選択図】図１
2019150315.tif 000002
【特許請求の範囲】
【請求項１】
競技者がスタート地点を通過したことを検出すると、スタート信号を、前記スタート地点とゴール地点とを含むエリアをカバーする無線通信ネットワークに送信するスタートユニットと、
前記競技者が前記ゴール地点を通過したことを検出すると、ゴール信号を前記無線通信ネットワークに送信するゴールユニットと、
前記無線通信ネットワークを介した前記スタート信号及び前記ゴール信号の受信に基づいて前記競技者のタイムを計測し、計測したタイムに関する情報を所定の情報出力装置に出力させる制御ユニットと、
を備える競技用計測システム。
【請求項２】
前記制御ユニットは、前記競技者が前記ゴール地点を通過すると想定される所定期間内に前記ゴール信号を受信した場合に、前記競技者のタイムを計測する、請求項１に記載の競技用計測システム。
【請求項３】
前記制御ユニットは、前記所定期間内に複数のゴール信号を受信した場合に、前記複数のゴール信号のうち何れかのゴール信号に基づいて計測されたタイムを前記競技者のタイムとして設定する、請求項２に記載の競技者用計測システム。
【請求項４】
前記スタートユニットは、前記スタート地点の高度を検出して、前記スタート地点の高度に関する情報を前記無線通信ネットワークに送信するように構成されており、
前記ゴールユニットは、前記ゴール地点の高度を検出して、前記ゴール地点の高度に関する情報を前記無線通信ネットワークに送信するように構成されており、
前記制御ユニットは、前記スタート地点の高度に関する情報と前記ゴール地点の高度に関する情報とを前記無線通信ネットワークを介して受信すると、前記スタート地点と前記ゴール地点との高度差を計測し、計測した高度差に関する情報を前記情報出力装置に出力させるように構成されている、請求項１〜３の何れかに記載の競技用計測システム。
【請求項５】
前記スタートユニットは、前記スタート地点の気象状態を検出して、前記スタート地点の気象状態に関する情報を前記無線通信ネットワークに送信するように構成されており、
前記ゴールユニットは、前記ゴール地点の気象状態を検出して、前記ゴール地点の気象状態に関する情報を前記無線通信ネットワークに送信するように構成されており、
前記制御ユニットは、前記スタート地点の気象状態に関する情報及び前記ゴール地点の気象状態に関する情報のうち少なくとも一方を前記無線通信ネットワークを介して受信すると、受信した気象状態に関する情報を前記情報出力装置に出力させるように構成されている、請求項１〜４の何れかに記載の競技用計測システム。
【請求項６】
前記スタートユニットは、前記スタートユニットの動作に関する情報を前記無線通信ネットワークに送信するように構成されており、
前記ゴールユニットは、前記ゴールユニットの動作に関する情報を前記無線通信ネットワークに送信するように構成されており、
前記制御ユニットは、前記スタートユニットの動作に関する情報及び前記ゴールユニットの動作に関する情報のうち少なくとも一方を前記無線通信ネットワークを介して受信すると、受信した動作に関する情報を前記情報出力装置に出力させるように構成されている、請求項１〜５の何れかに記載の競技用計測システム。
【発明の詳細な説明】
【技術分野】
【０００１】
本発明は、例えば、スキーやスノーボード等の競技における競技者のタイムを計測するための競技用計測システムに関する。
【背景技術】
【０００２】
従来、スキーやスノーボード等の競技で使用される競技用計測システムでは、スタート地点に設置されるスターティングゲートを競技者が通過したことをスタートセンサで検出したときにタイムの計測を開始し、ゴール地点に設置されるゴールセンサで競技者がゴールしたことを検出したときにタイムの計測を終了して、タイム表示地点において、所要タイムを算出してタイム表示部に表示させるようになっている。通常、かかる競技用計測システムでは、スタート地点（スタートセンサ）と、ゴール地点（ゴールセンサ）と、タイム表示部とは有線で接続されている。このような有線式の場合、機器の設置の際に多大な時間と労力を要するものであり、機器も高価である。したがって、このような競技用計測システムは、殆ど競技大会でしか使用されていないのが実情である。
【０００３】
一方、練習の場合には、上述したような競技用計測システムが高価であることから使用されることが殆どない。一般的には、スタート地点にいる者がトランシーバーを携帯し、ゴール地点にいる者がトランシーバーとストップウォッチとを携帯し、スタート時に、スタート地点にいる者が、ゴール地点にいる者に対して、スタートしたことをトランシーバーを用いて伝えることによって、ゴール地点にいる者がストップウォッチを操作してタイム計測を開始し、ゴール時に、ゴール地点にいる者がストップウォッチを操作してタイム計測を終了させることによって、スタートからゴールまでのタイムを計測している。したがって、計測操作に係る作業が煩雑であり、正確なタイムの計測も困難であった。
【０００４】
そこで、本出願人は、設置が容易で自由度も大きく且つ正確なタイム測定ができ、少人数の練習でも競技大会でも使用可能な安価な競技用計測システムを提案している（特許文献１）。この競技用計測システムは、競技者がスタートしたことを検出すると、音信号で構成されたスタート信号を第１の無線機から送信し、競技者がゴールしたことを検出すると、音信号で構成されたゴール信号を第２の無線機から送信し、第３の無線機が、スタート信号を第１の無線機から受信したときにタイムの計測を開始し、ゴール信号を第２の無線機から受信したときにタイムの計測を終了し、タイムの計測開始から計測終了までの時間をタイム表示ユニットで表示するようになっている。
【先行技術文献】
【特許文献】
【０００５】
【特許文献１】特許第６０９４９５５号公報
【発明の概要】
【発明が解決しようとする課題】
【０００６】
特許文献１に記載された技術では、第１の無線機と第３の無線機との間、及び、第２の無線機と第３の無線機との間で音信号を直接送受信することによって、タイムの計測が行われるようになっている。ところで、免許や資格の必要なく手軽に利用可能な無線機（例えば、送信出力が１０ｍＷ程度のトランシーバー等）を用いて音信号を送受信する場合、通信可能距離は、見通しの良い場所であっても５００ｍ程度であるため、スタート地点とゴール地点との距離が長くなるほど、第１の無線機及び第２の無線機の何れかと第３の無線機との間で音信号の送受信を行うこと（つまり、タイムの計測を行うこと）が困難になる虞がある。
【０００７】
本発明は上記課題に鑑みてなされたものであり、スタート地点とゴール地点との距離が長い場合であっても競技者のタイムを容易且つ正確に計測することの可能な競技用計測システムを提供することを目的とする。
【課題を解決するための手段】
【０００８】
上記課題を解決するために、本発明は、競技者がスタート地点を通過したことを検出すると、スタート信号を、前記スタート地点とゴール地点とを含むエリアをカバーする無線通信ネットワークに送信するスタートユニットと、前記競技者が前記ゴール地点を通過したことを検出すると、ゴール信号を前記無線通信ネットワークに送信するゴールユニットと、前記無線通信ネットワークを介した前記スタート信号及び前記ゴール信号の受信に基づいて前記競技者のタイムを計測し、計測したタイムに関する情報を所定の情報出力装置に出力させる制御ユニットと、を備える競技用計測システムを提供する（発明１）。
【０００９】
かかる発明（発明１）によれば、制御ユニットが、スタートユニットから送信されたスタート信号及びゴールユニットから送信されたゴール信号の各々を無線通信ネットワークを介して受信することによって、競技者のタイムを計測することが可能になる。これにより、制御ユニットが無線通信ネットワークに対して通信可能に接続されている場合には、スタートユニット及びゴールユニットの各々と直接通信を行わずに競技者のタイムを計測することができるので、スタート地点とゴール地点との距離が長い場合であっても競技者のタイムを容易且つ正確に計測することができる。
【００１０】
上記発明（発明１）においては、前記制御ユニットは、前記競技者が前記ゴール地点を通過すると想定される所定期間内に前記ゴール信号を受信した場合に、前記競技者のタイムを計測してもよい（発明２）。
【００１１】
かかる発明（発明２）によれば、競技者がゴール地点を通過すると想定される所定期間内に制御ユニットがゴール信号を受信しない場合には、例えば当該競技者が競技をリタイアした等の理由によりタイムの計測を適切に行うことができないと判断して、当該競技者のタイムの計測処理を行わずに次の競技者のタイムの計測を行うようにすることが可能になるので、複数の競技者のタイムの計測を効率良く行うことができる。
【００１２】
上記発明（発明２）においては、前記制御ユニットは、前記所定期間内に複数のゴール信号を受信した場合に、前記複数のゴール信号のうち何れかのゴール信号に基づいて計測されたタイムを前記競技者のタイムとして設定してもよい（発明３）。
【００１３】
例えば、第１競技者が競技をスタートしてからゴールするまでの間に第２競技者が競技をスタートする場合には、第１競技者がゴール地点を通過すると想定される所定期間内に第１競技者だけでなく第２競技者もゴールする（つまり、当該所定期間内に複数のゴール信号を受信する）ことが考えられる。ここで、例えば各競技者を識別する情報がゴール信号に含まれていない場合には、第１競技者がゴールしたタイミングが何れのゴール信号に対応するのか判別するのが困難になる虞がある。そこで、かかる発明（発明３）によれば、第１競技者がゴール地点を通過すると想定される所定期間内に複数のゴール信号を受信した場合には、複数のゴール信号のうち何れかのゴール信号に基づいて計測されたタイムが第１競技者のタイムとして設定されるので、１人の競技者が競技をスタートしてからゴールするまでの間に他の競技者が競技をスタートする場合であっても、各競技者のタイムを正確に計測することができる。
【００１４】
上記発明（発明１〜３）においては、前記スタートユニットは、前記スタート地点の高度を検出して、前記スタート地点の高度に関する情報を前記無線通信ネットワークに送信するように構成されており、前記ゴールユニットは、前記ゴール地点の高度を検出して、前記ゴール地点の高度に関する情報を前記無線通信ネットワークに送信するように構成されており、前記制御ユニットは、前記スタート地点の高度に関する情報と前記ゴール地点の高度に関する情報とを前記無線通信ネットワークを介して受信すると、前記スタート地点と前記ゴール地点との高度差を計測し、計測した高度差に関する情報を前記情報出力装置に出力させるように構成されていてもよい（発明４）。
【００１５】
かかる発明（発明４）によれば、制御ユニットが、スタートユニットから送信されたスタート地点の高度に関する情報及びゴールユニットから送信されたゴール地点の高度に関する情報の各々を無線通信ネットワークを介して受信することによって、スタート地点とゴール地点との高度差（つまり、競技コースの高度差）を計測することが可能になる。これにより、競技コースの高度差が所定の条件を満たしているか否か（例えば、国際スキー連盟（ＦＩＳ）等の国際競技連盟や全日本スキー連盟（ＳＡＪ）等の国内競技連盟の規定を満たしているか否か等）を容易に確認することができる。
【００１６】
上記発明（発明１〜４）においては、前記スタートユニットは、前記スタート地点の気象状態を検出して、前記スタート地点の気象状態に関する情報を前記無線通信ネットワークに送信するように構成されており、前記ゴールユニットは、前記ゴール地点の気象状態を検出して、前記ゴール地点の気象状態に関する情報を前記無線通信ネットワークに送信するように構成されており、前記制御ユニットは、前記スタート地点の気象状態に関する情報及び前記ゴール地点の気象状態に関する情報のうち少なくとも一方を前記無線通信ネットワークを介して受信すると、受信した気象状態に関する情報を前記情報出力装置に出力させるように構成されていてもよい（発明５）。
【００１７】
かかる発明（発明５）によれば、制御ユニットが、スタートユニットから送信されたスタート地点の気象状態に関する情報及びゴールユニットから送信されたゴール地点の気象状態に関する情報の少なくとも一方を無線通信ネットワークを介して受信することによって、スタート地点及びゴール地点のうち少なくとも一方の気象状態を知ることが可能になる。これにより、例えば、競技者は、スタート地点及び／又はゴール地点の気象状態に応じて、競技で良好なタイムを得るための準備を事前に行うことができる。
【００１８】
上記発明（発明１〜５）においては、前記スタートユニットは、前記スタートユニットの動作に関する情報を前記無線通信ネットワークに送信するように構成されており、前記ゴールユニットは、前記ゴールユニットの動作に関する情報を前記無線通信ネットワークに送信するように構成されており、前記制御ユニットは、前記スタートユニットの動作に関する情報及び前記ゴールユニットの動作に関する情報のうち少なくとも一方を前記無線通信ネットワークを介して受信すると、受信した動作に関する情報を前記情報出力装置に出力させるように構成されていてもよい（発明６）。
【００１９】
かかる発明（発明６）によれば、制御ユニットが、スタートユニットから送信されたスタートユニットの動作に関する情報及びゴールユニットから送信されたゴールユニットの動作に関する情報の少なくとも一方を無線通信ネットワークを介して受信することによって、スタートユニット及びゴールユニットのうち少なくとも一方の動作状態を知ることが可能になる。これにより、スタートユニット及び／又はゴールユニットが正常に動作しているか否かを容易に判別することができる。
【発明の効果】
【００２０】
本発明の競技用計測システムによれば、スタート地点とゴール地点との距離が長い場合であっても競技者のタイムを容易且つ正確に計測することができる。
【図面の簡単な説明】
【００２１】
【図１】本発明の一実施形態に係る競技用計測システムの基本構成を概略的に示す図である。
【図２】スタートユニットの構成を示すブロック図である。
【図３】ゴールユニットの構成を示すブロック図である。
【図４】表示ユニットの構成を示すブロック図である。
【図５】スタートユニットの主要な処理の一例を示すフローチャートである。
【図６】ゴールユニットの主要な処理の一例を示すフローチャートである。
【図７】表示ユニットの主要な処理の一例を示すフローチャートである。
【図８】競技記録データの構成例を示す図である。
【図９】（ａ）及び（ｂ）は、複数の競技者のスタート及びゴールのタイミングの一例を示す図である。
【発明を実施するための形態】
【００２２】
以下、本発明の一実施形態について添付図面を参照して詳細に説明する。ただし、この実施形態は例示であり、本発明はこれに限定されるものではない。
【００２３】
（１）競技用計測システムの基本構成
図１は、本発明の一実施形態に係る競技用計測システムの基本構成を概略的に示す図である。本実施形態に係る競技用計測システムは、例えば、スキーやスノーボード等の競技における競技者Ｐのタイムを計測するためのシステムであって、競技のスタート地点の周辺に配置されたスタートユニット１０と、競技のゴール地点の周辺に配置されたゴールユニット２０と、競技者Ｐのタイムを表示する表示ユニット３０と、端末装置４０と、コンテンツ提供サーバ５０と、から構成されている。本実施形態において、スタートユニット１０、ゴールユニット２０、表示ユニット３０、端末装置４０及びコンテンツ提供サーバ５０の各々は、スタート地点とゴール地点とを含むエリアをカバーする無線通信ネットワークＮＷに対して、通信可能に接続されるように構成されている。
【００２４】
本実施形態において、無線通信ネットワークＮＷは、スタート地点とゴール地点とを含むエリアをカバーする無線通信ネットワークであれば如何なるものであってもよく、例えば、ＰＤＣ（Personal Digital Cellular）、ＧＳＭ（登録商標）（Global System for Mobile communications）、ＣＤＭＡ（Code Division Multiple Access）、ＬＴＥ（Long Term Evolution）等の携帯電話網であってもよい。
【００２５】
スタートユニット１０は、競技者Ｐがスタート地点を通過したことを検出すると、スタート信号を、無線通信ネットワークＮＷを介して表示ユニット３０に送信するように構成されている。また、ゴールユニット２０は、競技者Ｐがゴール地点を通過したことを検出すると、ゴール信号を、無線通信ネットワークＮＷを介して表示ユニット３０に送信するように構成されている。
【００２６】
表示ユニット３０は、スタート信号とゴール信号とを無線通信ネットワークＮＷを介して受信すると、スタート信号及びゴール信号に基づいて競技者Ｐのタイムを計測し、計測したタイムに関する情報を表示部３６（図４に示す）に出力するように構成されている。なお、表示ユニット３０は、本発明における「制御ユニット」の一例である。
【００２７】
また、本実施形態において、表示ユニット３０は、計測したタイムに関する情報を、無線通信ネットワークＮＷを介して端末装置４０及び／又はコンテンツ提供サーバ５０に送信するように構成されている。
【００２８】
端末装置４０は、例えばＬＣＤ（Liquid Crystal Display）モニタ等の表示装置を備えた端末装置であり、計測したタイムに関する情報を無線通信ネットワークＮＷを介して表示ユニット３０から受信すると、受信した情報を表示装置に表示するように構成されている。端末装置４０は、専用のコンピュータであってもよいし、パーソナルコンピュータ等の汎用コンピュータであってもよい。また、端末装置４０は、例えば、携帯端末、スマートフォン、ＰＤＡ（Personal Digital Assistant）、双方向の通信機能を備えたテレビジョン受像機（いわゆる多機能型のスマートテレビも含む。）等のように、個々のユーザによって操作される端末装置であってもよい。
【００２９】
コンテンツ提供サーバ５０は、例えば、クライアントである端末装置（例えば端末装置４０等）と無線通信ネットワークＮＷを介して通信可能に構成されたＷｅｂサーバであり、計測したタイムに関する情報を無線通信ネットワークＮＷを介して表示ユニット３０から受信すると、受信した情報を含むウェブページを表示するためのＨＴＭＬ（HyperText Markup Language）データを生成して、例えばＨＤＤ（Hard Disk Drive）等の記憶装置に記憶するようになっている。また、コンテンツ提供サーバ５０は、端末装置からの要求に応じて、ＨＴＭＬデータを当該端末装置に送信するように構成されている。
【００３０】
（２）スタートユニットの構成
図２を参照してスタートユニット１０について説明する。図２は、スタートユニット１０の内部構成を示すブロック図である。図２に示すように、スタートユニット１０は、ＣＰＵ（Central Processing Unit）１１と、ＲＯＭ（Read Only Memory）１２と、ＲＡＭ（Random Access Memory）１３と、記憶装置１４と、表示処理部１５と、表示部１６と、入力部１７と、センサ部１８と、通信インタフェース部１９と、を備えており、各部間の制御信号又はデータ信号を伝送するためのバス１０ａが設けられている。
【００３１】
ＣＰＵ１１は、電源がスタートユニット１０に投入されると、ＲＯＭ１２又は記憶装置１４に記憶された各種のプログラムをＲＡＭ１３にロードして実行する。また、ＣＰＵ１１は、後述する所定の検知信号をセンサ部１８から受信すると、競技者Ｐがスタート地点を通過したことを示すスタート信号を、通信インタフェース部１９及び無線通信ネットワークＮＷを介して表示ユニット３０に送信する。
【００３２】
記憶装置１４は、例えば、フラッシュメモリ、ＳＳＤ（Solid State Drive）、磁気記憶装置（例えばＨＤＤ（Hard Disk Drive）、フロッピーディスク（登録商標）、磁気テープ等）、光ディスク等の不揮発性の記憶装置であってもよいし、ＲＡＭ等の揮発性の記憶装置であってもよく、ＣＰＵ１１が実行するプログラムやＣＰＵ１１が参照するデータを格納する。
【００３３】
表示処理部１５は、ＣＰＵ１１から与えられる表示用データを、表示部１６に表示する。表示部１６は、例えば、マトリクス状に画素単位で配置された薄膜トランジスタを含むＬＣＤモニタであり、表示用データに基づいて薄膜トランジスタを駆動することで、表示されるデータを表示画面に表示する。
【００３４】
スタートユニット１０が釦入力方式の装置である場合には、入力部１７は、ユーザの操作入力を受け入れるための少なくとも１つの指示入力釦を備え、指示入力釦の押下（操作）入力を認識してＣＰＵ１１へ出力するためのインタフェース回路を含む。
【００３５】
スタートユニット１０がタッチパネル入力方式の装置である場合には、入力部１７は、主として表示画面に指先又はペンで触れることによるタッチパネル方式の入力を受け付ける。タッチパネル入力方式は、静電容量方式等の公知の方式でよい。
【００３６】
センサ部１８は、競技者Ｐがスタート地点を通過する際に例えば競技者Ｐの脚部等によって押されるスタートバーの動作を検知するセンサを含み、このセンサは、スタートバーが押されたことを検知すると、所定の検知信号をＣＰＵ１１へ出力するように構成されている。
【００３７】
また、センサ部１８は、例えばＧＰＳ（Global Positioning System）等の位置測定技術を用いてスタートユニット１０の位置（つまり、スタート地点の位置）を検出し、検出した位置に関する情報（例えば、緯度、経度及び高度等）をＣＰＵ１１に出力する位置センサを含んでもよい。
【００３８】
さらに、センサ部１８は、スタート地点の気象状態を検出し、検出した気象状態に関する情報（例えば、気温、雪温、湿度、日射量、降雨量、積雪量、気圧等）をＣＰＵ１１に出力する気象センサを含んでもよい。
【００３９】
さらにまた、センサ部１８は、スタートユニット１０の動作状態を検出し、検出した動作状態に関する情報（例えば、スタートユニット１０の温度、電圧等）をＣＰＵ１１に出力するセンサ（例えば、温度センサや電圧センサ等）を含んでもよい。
【００４０】
通信インタフェース部１９は、無線通信ネットワークＮＷを介して表示ユニット３０と通信を行うためのインタフェース回路を含む。
【００４１】
（３）ゴールユニットの構成
図３を参照してゴールユニット２０について説明する。図３は、ゴールユニット２０の内部構成を示すブロック図である。図３に示すように、ゴールユニット２０は、ＣＰＵ２１と、ＲＯＭ２２と、ＲＡＭ２３と、記憶装置２４と、表示処理部２５と、表示部２６と、入力部２７と、センサ部２８と、通信インタフェース部２９と、を備えており、各部間の制御信号又はデータ信号を伝送するためのバス２０ａが設けられている。
【００４２】
ＣＰＵ２１は、電源がゴールユニット２０に投入されると、ＲＯＭ２２又は記憶装置２４に記憶された各種のプログラムをＲＡＭ２３にロードして実行する。また、ＣＰＵ２１は、後述する所定の検知信号をセンサ部２８から受信すると、競技者Ｐがゴール地点を通過したことを示すゴール信号を、通信インタフェース部２９及び無線通信ネットワークＮＷを介して表示ユニット３０に送信する。
【００４３】
センサ部２８は、競技者Ｐがゴール地点を通過するのを検知する例えば回帰反射型のセンサを含み、このセンサは、競技者Ｐがゴール地点を通過したことを検知すると、所定の検知信号をＣＰＵ２１へ出力するように構成されている。
【００４４】
また、センサ部２８は、例えばＧＰＳ等の位置測定技術を用いてゴールユニット２０の位置（つまり、ゴール地点の位置）を検出し、検出した位置に関する情報（例えば、緯度、経度及び高度等）をＣＰＵ２１に出力する位置センサを含んでもよい。
【００４５】
さらに、センサ部２８は、ゴール地点の気象状態を検出し、検出した気象状態に関する情報（例えば、気温、雪温、湿度、日射量、降雨量、積雪量、気圧等）をＣＰＵ２１に出力する気象センサを含んでもよい。
【００４６】
さらにまた、センサ部２８は、ゴールユニット２０の動作状態を検出し、検出した動作状態に関する情報（例えば、ゴールユニット２０の温度、電圧等）をＣＰＵ２１に出力するセンサ（例えば、温度センサや電圧センサ等）を含んでもよい。
【００４７】
なお、ゴールユニット２０の他の各部の詳細は、スタートユニット１０と同様である。
【００４８】
（４）表示ユニットの構成
図４を参照して表示ユニット３０について説明する。図４は、表示ユニット３０の内部構成を示すブロック図である。図４に示すように、表示ユニット３０は、ＣＰＵ３１と、ＲＯＭ３２と、ＲＡＭ３３と、記憶装置３４と、表示処理部３５と、表示部３６と、入力部３７と、通信インタフェース部３８と、を備えており、各部間の制御信号又はデータ信号を伝送するためのバス３０ａが設けられている。
【００４９】
ＣＰＵ３１は、電源が表示ユニット３０に投入されると、ＲＯＭ３２又は記憶装置３４に記憶された各種のプログラムをＲＡＭ３３にロードして実行する。また、ＣＰＵ３１は、通信インタフェース部３８を介したスタート信号及びゴール信号の受信に基づいて競技者Ｐのタイムを計測し、計測したタイムに関する情報を表示部３６に表示する。
【００５０】
なお、表示ユニット３０の他の各部の詳細は、スタートユニット１０と同様である。
【００５１】
（５）競技用計測システムにおける各機能の概要
本実施形態の競技用計測システムで実現される機能について、図５〜図７を参照して説明する。図５は、スタートユニットの主要な処理の一例を示すフローチャートであり、図６は、ゴールユニットの主要な処理の一例を示すフローチャートであり、図７は、表示ユニットの主要な処理の一例を示すフローチャートである。
【００５２】
スタートユニット１０は、競技者Ｐがスタート地点を通過したことを検出すると、スタート信号を、前記スタート地点とゴール地点とを含むエリアをカバーする無線通信ネットワークＮＷに送信する機能を備える。
【００５３】
スタートユニット１０の機能は、例えば図５を参照して以下のように実現される。なお、ここでは、スタートユニット１０と表示ユニット３０との間で無線通信ネットワークＮＷを介した通信が確立されている場合を想定する。スタートユニット１０のＣＰＵ１１は、所定の検知信号をセンサ部１８から受信することによって、競技者Ｐがスタート地点を通過したことを検出すると（ステップＳ１００：ＹＥＳ）、スタート信号を生成して（ステップＳ１０２）、生成したスタート信号を通信インタフェース部１９を介して無線通信ネットワークＮＷ及び表示ユニット３０に送信する（ステップＳ１０４）。なお、ＣＰＵ１１は、所定の検知信号をセンサ部１８から受信していない場合（ステップＳ１００：ＮＯ）、ステップＳ１００の処理に移行する。
【００５４】
ここで、ステップＳ１０２において生成されるスタート信号には、例えば、競技者Ｐを識別するための競技者ＩＤ及び／又は競技者名が含まれてもよく、この競技者ＩＤ及び／又は競技者名は、競技者Ｐの競技順に例えば記憶装置１４に記憶されていてもよい。ＣＰＵ１１は、センサ部１８から検知信号を受信する毎に例えば記憶装置１４にアクセスして、記憶された競技順に従って１つの競技者ＩＤ及び／又は競技者名を抽出し、抽出した競技者ＩＤ及び／又は競技者名をスタート信号に含めてもよい。また、ＣＰＵ１１は、センサ部１８から検知信号を受信したときの時間情報を例えば内蔵タイマ（図示省略）から取得し、取得した時間情報をスタート信号に含めてもよい。
【００５５】
ゴールユニット２０は、競技者Ｐがゴール地点を通過したことを検出すると、ゴール信号を無線通信ネットワークＮＷに送信する機能を備える。
【００５６】
ゴールユニット２０の機能は、例えば図６を参照して以下のように実現される。なお、ここでは、ゴールユニット２０と表示ユニット３０との間で無線通信ネットワークＮＷを介した通信が確立されている場合を想定する。ゴールユニット２０のＣＰＵ２１は、所定の検知信号をセンサ部２８から受信することによって、競技者Ｐがゴール地点を通過したことを検出すると（ステップＳ２００：ＹＥＳ）、ゴール信号を生成して（ステップＳ２０２）、生成したゴール信号を通信インタフェース部２９を介して無線通信ネットワークＮＷ及び表示ユニット３０に送信する（ステップＳ２０４）。なお、ＣＰＵ２１は、所定の検知信号をセンサ部２８から受信していない場合（ステップＳ２００：ＮＯ）、ステップＳ２００の処理に移行する。
【００５７】
ここで、例えば、複数の競技者Ｐが一人ずつ競技を行う場合（つまり、１人の競技者Ｐがスタートしてからゴールするまでの間、他の競技者Ｐが競技を行わない場合）、ステップＳ２０２において生成されるゴール信号には、例えば、競技者Ｐを識別するための競技者ＩＤ及び／又は競技者名が含まれてもよく、この競技者ＩＤ及び／又は競技者名は、競技者Ｐの競技順に例えば記憶装置２４に記憶されていてもよい。この場合、ＣＰＵ２１は、センサ部２８から検知信号を受信する毎に例えば記憶装置２４にアクセスして、記憶された競技順に従って１つの競技者ＩＤ及び／又は競技者名を抽出し、抽出した競技者ＩＤ及び／又は競技者名をゴール信号に含めてもよい。また、ＣＰＵ２１は、センサ部２８から検知信号を受信したときの時間情報を例えば内蔵タイマ（図示省略）から取得し、取得した時間情報をゴール信号に含めてもよい。
【００５８】
表示ユニット３０は、無線通信ネットワークＮＷを介したスタート信号及びゴール信号の受信に基づいて競技者Ｐのタイムを計測し、計測したタイムに関する情報を表示部３６（所定の情報出力装置）に出力させる機能を備える。
【００５９】
また、表示ユニット３０は、競技者Ｐがゴール地点を通過すると想定される所定期間内にゴール信号を受信した場合に、競技者Ｐのタイムを計測してもよい。これにより、例えば、競技者Ｐがゴール地点を通過すると想定される所定期間内に表示ユニット３０がゴール信号を受信しない場合には、例えば当該競技者Ｐが競技をリタイアした等の理由によりタイムの計測を適切に行うことができないと判断して、当該競技者Ｐのタイムの計測処理を行わずに次の競技者Ｐのタイムの計測を行うようにすることが可能になるので、複数の競技者Ｐのタイムの計測を効率良く行うことができる。
【００６０】
表示ユニット３０の機能は、例えば図７を参照して以下のように実現される。なお、ここでは、スタートユニット１０及びゴールユニット２０の各々と表示ユニット３０との間で無線通信ネットワークＮＷを介した通信が確立されている場合を想定する。表示ユニット３０のＣＰＵ３１は、スタート信号を無線通信ネットワークＮＷを介してスタートユニット１０から受信し（ステップＳ３００：ＹＥＳ）、その後、ゴール信号を無線通信ネットワークＮＷを介してゴールユニット２０から受信すると（ステップＳ３０２：ＹＥＳ）、競技者Ｐがゴール地点を通過すると想定される所定期間（例えば、スタート信号を受信してからＴ１（Ｔ１＞０）秒後〜Ｔ２（Ｔ２＞Ｔ１）秒後の期間）内にゴール信号を受信したか否かを判別する（ステップＳ３０４）。ここで、所定期間の開始タイミングＴ１及び終了タイミングＴ２は、例えば、スタート信号を受信してから所定時間（例えば４０秒）経過後のタイミングを開始タイミングＴ１とし、開始タイミングＴ１から所定期間（例えば２０秒）経過後のタイミングを終了タイミングＴ２とするように自動的に設定されてもよいし、入力部３７を用いて任意に設定されてもよい。また、設定された開始タイミングＴ１及び終了タイミングＴ２は、例えばＲＡＭ３３又は記憶装置３４に記憶されてもよい。なお、ＣＰＵ３１は、スタート信号をスタートユニット１０から受信していない場合（ステップＳ３００：ＮＯ）、ステップＳ３００の処理に移行し、ゴール信号をゴールユニット２０から受信していない場合（ステップＳ３０２：ＮＯ）、ステップＳ３０２の処理に移行する。
【００６１】
ＣＰＵ３１は、所定期間内にゴール信号を受信した場合に（ステップＳ３０４：ＹＥＳ）、競技者Ｐのタイムを計測する（ステップＳ３０６）。なお、ＣＰＵ３１は、所定期間内にゴール信号を受信しなかった場合（ステップＳ３０４：ＮＯ）、処理を終了してもよい。ここで、タイムの計測方法のいくつかの例を挙げる。
【００６２】
先ず、第１の計測方法として、センサ部１８又はセンサ部２８から検知信号を受信したときの時間情報がスタート信号及びゴール信号の各々に含まれていない場合には、ＣＰＵ３１は、通信インタフェース部３８を介してスタート信号を受信したタイミングから通信インタフェース部３８を介してゴール信号を受信したタイミングまでの時間を内蔵タイマ（図示省略）を用いて計測することによって、競技者Ｐのタイムを計測してもよい。なお、この場合には、表示ユニット３０に内蔵されたタイマのみを用いて計時を行うことができるので、例えば、スタートユニット１０及び／又はゴールユニット２０に内蔵されたタイマと表示ユニット３０に内蔵されたタイマとの間で時間を同期させる処理が不要になることから、競技者Ｐのタイムをより容易に計測することができ、さらには、システムの製造コストを抑えることができる。
【００６３】
また、第２の計測方法として、センサ部１８又はセンサ部２８から検知信号を受信したときの時間情報がスタート信号及びゴール信号の各々に含まれている場合には、ＣＰＵ３１は、通信インタフェース部３８を介して受信したスタート信号に含まれる時間情報と、通信インタフェース部３８を介して受信したゴール信号に含まれる時間情報との時間差を計測することによって、競技者Ｐのタイムを計測してもよい。
【００６４】
さらに、第３の計測方法として、センサ部１８又はセンサ部２８から検知信号を受信したときの時間情報がスタート信号及びゴール信号の何れか一方のみに含まれている場合には、ＣＰＵ３１は、スタート信号及びゴール信号の何れか一方に含まれる時間情報と、スタート信号及びゴール信号の何れか他方を通信インタフェース部３８を介して受信したタイミングとの時間差を計測することによって、競技者Ｐのタイムを計測してもよい。
【００６５】
次に、ＣＰＵ３１は、タイムを計測すると、計測したタイムを、例えば図８に示す競技記録データに記憶する（ステップＳ３０８）。競技記録データは、タイムが計測される毎に、競技者ＩＤと、競技者名と、計測されたタイムと、計測されたタイムに基づいて決定した順位と、が対応付けられた状態で記述されたデータであって、記憶装置３４に記憶されている。ここで、例えば、競技者ＩＤがスタート信号に含まれている場合には、スタート信号に含まれている競技者ＩＤが記憶されてもよい。また、競技者名は、事前に競技者ＩＤと対応付けられた状態で記憶装置３４に記憶されていてもよい。
【００６６】
そして、ＣＰＵ３１は、計測したタイムを表示部３６に出力（表示）する（ステップＳ３１０）。なお、ＣＰＵ３１は、上位（例えば１位〜３位）のタイムを競技記録データから抽出して表示部３６に表示させてもよい。また、ＣＰＵ３１は、計測したタイムを音声データで生成した場合には、計測したタイムを例えばスピーカ等の音声出力装置から出力させてもよい。
【００６７】
また、ＣＰＵ３１は、計測したタイムに関する情報を、通信インタフェース部３８及び無線通信ネットワークＮＷを介して端末装置４０及び／又はコンテンツ提供サーバ５０に送信してもよい。この場合、端末装置４０は、計測したタイムに関する情報を表示ユニット３０から受信すると、受信した情報を例えばＬＣＤモニタ等の表示装置に表示してもよい。また、端末装置４０は、計測したタイムに関する情報を含むウェブページを表示するためのＨＴＭＬデータを、無線通信ネットワークＮＷを介してコンテンツ提供サーバ５０から取得し、端末装置４０に設けられたウェブブラウザを用いて、取得したＨＴＭＬデータに対応するウェブページを表示装置に表示させてもよい。
【００６８】
上述したように、本実施形態の競技用計測システムによれば、表示ユニット３０（制御ユニット）が、スタートユニット１０から送信されたスタート信号及びゴールユニット２０から送信されたゴール信号の各々を無線通信ネットワークＮＷを介して受信することによって、競技者Ｐのタイムを計測することが可能になる。これにより、表示ユニット３０が無線通信ネットワークＮＷに対して通信可能に接続されている場合には、スタートユニット１０及びゴールユニット２０の各々と直接通信を行わずに競技者Ｐのタイムを計測することができるので、スタート地点とゴール地点との距離が長い場合であっても競技者Ｐのタイムを容易且つ正確に計測することができる。
【００６９】
以下、上述した実施形態の変形例について説明する。
（変形例１）
本変形例において、スタートユニット１０は、スタート地点の高度を検出して、スタート地点の高度に関する情報を無線通信ネットワークＮＷに送信するように構成されており、ゴールユニット２０は、ゴール地点の高度を検出して、ゴール地点の高度に関する情報を無線通信ネットワークＮＷに送信するように構成されており、表示ユニット３０（制御ユニット）は、スタート地点の高度に関する情報とゴール地点の高度に関する情報とを無線通信ネットワークＮＷを介して受信すると、スタート地点とゴール地点との高度差を計測し、計測した高度差に関する情報を表示部３６（情報出力装置）に出力させるように構成されていてもよい。
【００７０】
本変形例によれば、表示ユニット３０が、スタートユニット１０から送信されたスタート地点の高度に関する情報及びゴールユニット２０から送信されたゴール地点の高度に関する情報の各々を無線通信ネットワークＮＷを介して受信することによって、スタート地点とゴール地点との高度差（つまり、競技コースの高度差）を計測することが可能になる。これにより、競技コースの高度差が所定の条件を満たしているか否か（例えば、国際スキー連盟（ＦＩＳ）等の国際競技連盟や全日本スキー連盟（ＳＡＪ）等の国内競技連盟の規定を満たしているか否か等）を容易に確認することができる。
【００７１】
本変形例において、スタートユニット１０のＣＰＵ１１は、所定のタイミング（例えば電源投入時等）において、センサ部１８の位置センサを用いてスタートユニット１０の位置（つまり、スタート地点の位置）を検出し、検出した位置に関する情報（例えば、緯度、経度及び高度等）を、無線通信ネットワークＮＷを介して表示ユニット３０に送信する。
【００７２】
本変形例において、ゴールユニット２０のＣＰＵ２１は、所定のタイミング（例えば電源投入時等）において、センサ部２８の位置センサを用いてゴールユニット２０の位置（つまり、ゴール地点の位置）を検出し、検出した位置に関する情報（例えば、緯度、経度及び高度等）を、無線通信ネットワークＮＷを介して表示ユニット３０に送信する。
【００７３】
本変形例において、表示ユニット３０のＣＰＵ３１は、スタートユニット１０の位置に関する情報及びゴールユニット２０の位置に関する情報を受信すると、スタートユニット１０とゴールユニット２０との高度差を計測し、計測した高度差を表示部３６に表示（出力）する。また、ＣＰＵ３１は、計測した高度差に関する情報を、通信インタフェース部３８及び無線通信ネットワークＮＷを介して端末装置４０及び／又はコンテンツ提供サーバ５０に送信してもよい。
【００７４】
（変形例２）
本変形例において、スタートユニット１０は、スタート地点の気象状態を検出して、スタート地点の気象状態に関する情報を無線通信ネットワークＮＷに送信するように構成されており、ゴールユニット２０は、ゴール地点の気象状態を検出して、ゴール地点の気象状態に関する情報を無線通信ネットワークＮＷに送信するように構成されており、表示ユニット３０（制御ユニット）は、スタート地点の気象状態に関する情報及びゴール地点の気象状態に関する情報のうち少なくとも一方を無線通信ネットワークＮＷを介して受信すると、受信した気象状態に関する情報を表示部３６（情報出力装置）に出力させるように構成されていてもよい。
【００７５】
本変形例によれば、表示ユニット３０が、スタートユニット１０から送信されたスタート地点の気象状態に関する情報及びゴールユニット２０から送信されたゴール地点の気象状態に関する情報の少なくとも一方を無線通信ネットワークＮＷを介して受信することによって、スタート地点及びゴール地点のうち少なくとも一方の気象状態を知ることが可能になる。これにより、例えば、競技者Ｐは、スタート地点及び／又はゴール地点の気象状態に応じて、競技で良好なタイムを得るための準備（例えば、スキー競技において、スキー板に塗布するワックスを雪温に応じて選択し、当該スキー板に塗布する等）を事前に行うことができる。
【００７６】
本変形例において、スタートユニット１０のＣＰＵ１１は、所定のタイミング毎（例えば１分毎等）に、センサ部１８の気象センサを用いてスタート地点の気象状態を検出し、検出した気象状態に関する情報（例えば、気温、雪温、湿度、日射量、降雨量、積雪量、気圧等）を、無線通信ネットワークＮＷを介して表示ユニット３０に送信する。
【００７７】
本変形例において、ゴールユニット２０のＣＰＵ２１は、所定のタイミング毎（例えば１分毎等）に、センサ部２８の気象センサを用いてゴール地点の気象状態を検出し、検出した気象状態に関する情報（例えば、気温、雪温、湿度、日射量、降雨量、積雪量、気圧等）を、無線通信ネットワークＮＷを介して表示ユニット３０に送信する。
【００７８】
本変形例において、表示ユニット３０のＣＰＵ３１は、スタート地点の気象状態に関する情報及びゴール地点の気象状態に関する情報のうち少なくとも一方を無線通信ネットワークＮＷを介して受信すると、受信した気象状態に関する情報を表示部３６に表示（出力）する。また、ＣＰＵ３１は、受信した気象状態に関する情報を、通信インタフェース部３８及び無線通信ネットワークＮＷを介して端末装置４０及び／又はコンテンツ提供サーバ５０に送信してもよい。
【００７９】
（変形例３）
本変形例において、スタートユニット１０は、スタートユニット１０の動作に関する情報を無線通信ネットワークＮＷに送信するように構成されており、ゴールユニット２０は、ゴールユニット２０の動作に関する情報を無線通信ネットワークＮＷに送信するように構成されており、表示ユニット３０（制御ユニット）は、スタートユニット１０の動作に関する情報及びゴールユニット２０の動作に関する情報のうち少なくとも一方を無線通信ネットワークＮＷを介して受信すると、受信した動作に関する情報を表示部３６（情報出力装置）に出力させるように構成されていてもよい。
【００８０】
本変形例によれば、表示ユニット３０が、スタートユニット１０から送信されたスタートユニット１０の動作に関する情報及びゴールユニット２０から送信されたゴールユニット２０の動作に関する情報の少なくとも一方を無線通信ネットワークＮＷを介して受信することによって、スタートユニット１０及びゴールユニット２０のうち少なくとも一方の動作状態を知ることが可能になる。これにより、スタートユニット１０及び／又はゴールユニット２０が正常に動作しているか否かを容易に判別することができる。
【００８１】
本変形例において、スタートユニット１０のＣＰＵ１１は、所定のタイミング毎（例えば１分毎等）に、センサ部１８のセンサ（例えば、温度センサや電圧センサ等）を用いてスタートユニット１０の動作状態を検出し、検出した動作状態に関する情報（例えば、スタートユニット１０の温度、電圧等）を、無線通信ネットワークＮＷを介して表示ユニット３０に送信する。
【００８２】
本変形例において、ゴールユニット２０のＣＰＵ２１は、所定のタイミング毎（例えば１分毎等）に、センサ部２８のセンサ（例えば、温度センサや電圧センサ等）を用いてゴールユニット２０の動作状態を検出し、検出した動作状態に関する情報（例えば、ゴールユニット２０の温度、電圧等）を、無線通信ネットワークＮＷを介して表示ユニット３０に送信する。
【００８３】
本変形例において、表示ユニット３０のＣＰＵ３１は、スタートユニット１０の動作状態に関する情報及びゴールユニット２０の動作状態に関する情報のうち少なくとも一方を無線通信ネットワークＮＷを介して受信すると、受信した動作状態に関する情報を表示部３６に表示（出力）する。また、ＣＰＵ３１は、受信した動作状態に関する情報を、通信インタフェース部３８及び無線通信ネットワークＮＷを介して端末装置４０及び／又はコンテンツ提供サーバ５０に送信してもよい。
【００８４】
（変形例４）
上述した実施形態では、１人の競技者Ｐが競技をスタートしてからゴールするまでのタイムを計測する場合を一例として説明したが、この場合に限られない。例えば、１人の競技者Ｐが競技をスタートしてからゴールするまでの間に他の競技者Ｐが競技をスタートする場合に、各競技者Ｐのタイムを計測してもよい。
【００８５】
ところで、図９（ａ）に示すように、第１競技者Ｐ１が時間ｔ１に競技をスタートしてから時間ｔ３にゴールするまでの間に第２競技者Ｐ２が時間ｔ２に競技をスタートする場合であって、第１競技者Ｐ１がゴール地点を通過すると想定される所定期間（開始タイミングをＴ１ｓとし、終了タイミングをＴ１ｅとする）の一部と、第２競技者Ｐ２がゴール地点を通過すると想定される所定期間（開始タイミングをＴ２ｓとし、終了タイミングをＴ２ｅとする）の一部とが重複するように設定されている場合には、第１競技者Ｐ１がゴール地点を通過すると想定される所定期間内に第１競技者Ｐ１だけでなく第２競技者Ｐ２も当該所定期間内の時間ｔ４にゴールする（つまり、当該所定期間内に複数のゴール信号を受信する）可能性がある。ここで、例えば競技者ＩＤ等のように各競技者Ｐ１，Ｐ２を識別する情報がゴール信号に含まれていない場合には、第１競技者Ｐ１がゴールしたタイミングが何れのゴール信号に対応するのか（ここでは、時間ｔ３及び時間ｔ４の何れに対応するゴール信号であるのか）を判別するのが困難になる虞がある。また、図９（ａ）に示す例では、第２競技者Ｐ２がゴール地点を通過すると想定される所定期間（開始タイミングがＴ２ｓであり、終了タイミングがＴ２ｅである）内の時間ｔ３に第１競技者Ｐ１がゴールしており、当該所定期間内の時間ｔ４に第２競技者Ｐ２がゴールしていることから、第２競技者Ｐ２がゴールしたタイミングを判別するのも困難になる虞がある。
【００８６】
さらに、図９（ｂ）に示すように、第１競技者Ｐ１が時間ｔ１に競技をスタートしてから時間ｔ３にゴールするまでの間に第２競技者Ｐ２が時間ｔ２に競技をスタートする場合であって、第１競技者Ｐ１がゴール地点を通過すると想定される所定期間（開始タイミングをＴ１ｓとし、終了タイミングをＴ１ｅとする）と、第２競技者Ｐ２がゴール地点を通過すると想定される所定期間（開始タイミングをＴ２ｓとし、終了タイミングをＴ２ｅとする）とが重複しないように設定されている場合であっても、例えば、第１競技者Ｐ１が競技中に転倒する等してタイムが遅れ、第２競技者Ｐ２がゴール地点を通過すると想定される所定期間（開始タイミングがＴ２ｓであり、終了タイミングがＴ２ｅである）内の時間ｔ３にゴールし、当該所定期間内の時間ｔ４に第２競技者Ｐ２がゴールしたときには、第２競技者Ｐ２がゴールしたタイミングが何れのゴール信号に対応するのか（ここでは、時間ｔ３及び時間ｔ４の何れに対応するゴール信号であるのか）を判別するのが困難になる虞がある。なお、この場合、第１競技者Ｐ１がゴール地点を通過すると想定される所定期間（開始タイミングがＴ１ｓであり、終了タイミングがＴ１ｅである）内に第１競技者Ｐ１がゴールしていないので、第１競技者Ｐ１のタイムは計測されなくてもよい。
【００８７】
そこで、本変形例において、表示ユニット３０（制御ユニット）は、第１競技者Ｐ１がゴール地点を通過すると想定される所定期間内に複数のゴール信号を受信した場合に、複数のゴール信号のうち何れかのゴール信号に基づいて計測されたタイムを第１競技者Ｐ１のタイムとして設定してもよい。これにより、第１競技者Ｐ１がゴール地点を通過すると想定される所定期間内に複数のゴール信号を受信した場合には、複数のゴール信号のうち何れかのゴール信号に基づいて計測されたタイムが第１競技者Ｐ１のタイムとして設定されるので、１人の競技者が競技をスタートしてからゴールするまでの間に他の競技者が競技をスタートする場合であっても、各競技者のタイムを正確に計測することができる。
【００８８】
本変形例における表示ユニット３０の機能は、例えば以下のように実現される。表示ユニット３０のＣＰＵ３１は、例えば、図７に示すフローチャートのステップＳ３０４において複数のゴール信号を受信した場合、複数のゴール信号毎に、ゴール信号を受信したときの時間（例えば時間ｔ３，ｔ４）を表示部３６に表示させ、表示された複数の時間（時間ｔ３，ｔ４）のうち例えば入力部３７を用いて選択された時間（例えば時間ｔ３）を用いて第１競技者Ｐ１のタイムを計測し、計測されたタイムを競技記録データに記憶（設定）してもよい。また、ＣＰＵ３１は、複数のゴール信号毎に、ゴール信号を受信したときの時間（時間ｔ３，ｔ４）を用いて第１競技者Ｐ１の複数のタイムを計測し、計測された複数のタイムに関する情報を表示部３６に表示させ、表示された複数のタイムのうち例えば入力部３７を用いて選択されたタイムを第１競技者Ｐ１のタイムとして競技記録データに記憶（設定）してもよい。さらに、ＣＰＵ３１は、上記と同様に、第２競技者Ｐ２のタイムを設定してもよい。
【００８９】
以上説明した実施形態及び変形例は、本発明の理解を容易にするために記載されたものであって、本発明を限定するために記載されたものではない。したがって、上記実施形態及び変形例に開示された各要素は、本発明の技術的範囲に属する全ての設計変更や均等物をも含む趣旨である。
【００９０】
上記実施形態では、表示ユニット３０が制御ユニットの一例である場合について説明したが、例えば、端末装置４０及び／又はコンテンツ提供サーバ５０が制御ユニットとして構成されてもよい。
【００９１】
上記実施形態では、表示部３６が表示ユニット３０内に組み込まれている場合を一例として説明したが、例えば、表示ユニット３０によって制御される大型のＬＣＤモニタ等の表示装置が表示ユニット３０から独立して設けられてもよい。
【産業上の利用可能性】
【００９２】
上述したような本発明の競技用計測システムは、スタート地点とゴール地点との距離が長い競技であっても競技者のタイムを容易且つ正確に計測することができる。これにより、この競技用計測システムを、例えば競技練習や競技大会等に好適に利用することができるので、その産業上の利用可能性は極めて大きい。
【符号の説明】
【００９３】
１０…スタートユニット
２０…ゴールユニット
３０…表示ユニット
３６…表示部
４０…端末装置
５０…コンテンツ提供サーバ
ＮＷ…無線通信ネットワーク
Ｐ…競技者
Ｐ１…第１競技者
Ｐ２…第２競技者
【図１】
2019150315.tif 000003
【図２】
2019150315.tif 000004
【図３】
2019150315.tif 000005
【図４】
2019150315.tif 000006
【図５】
2019150315.tif 000007
【図６】
2019150315.tif 000008
【図７】
2019150315.tif 000009
【図８】
2019150315.tif 000010
【図９】
2019150315.tif 000011
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
スキーやスノーボード等の雪上競技における競技者のタイムを計測する競技用計測システムであって、
競技者がスタート地点を通過したことを検出すると、スタート信号を、前記スタート地点とゴール地点とを含むエリアをカバーする無線通信ネットワークに送信するスタートユニットと、
前記競技者が前記ゴール地点を通過したことを検出すると、ゴール信号を前記無線通信ネットワークに送信するゴールユニットと、
前記無線通信ネットワークを介した前記スタート信号及び前記ゴール信号の受信に基づいて前記競技者のタイムを計測し、計測したタイムに関する情報を所定の情報出力装置に出力させる制御ユニットと、
を備え、
前記制御ユニットが、前記競技者が前記ゴール地点を通過すると想定される所定期間内に前記ゴール信号を受信した場合に、前記競技者のタイムを計測するとともに、前記所定期間内に複数のゴール信号を受信した場合には、前記複数のゴール信号のうち何れかのゴール信号に基づいて計測されたタイムを前記競技者のタイムとして設定する競技用計測システム。
【請求項２】
前記スタートユニットは、前記スタート地点の高度を検出して、前記スタート地点の高度に関する情報を前記無線通信ネットワークに送信するように構成されており、
前記ゴールユニットは、前記ゴール地点の高度を検出して、前記ゴール地点の高度に関する情報を前記無線通信ネットワークに送信するように構成されており、
前記制御ユニットは、前記スタート地点の高度に関する情報と前記ゴール地点の高度に関する情報とを前記無線通信ネットワークを介して受信すると、前記スタート地点と前記ゴール地点との高度差を計測し、計測した高度差に関する情報を前記情報出力装置に出力させるように構成されている、請求項１に記載の競技用計測システム。
【請求項３】
前記スタートユニットは、前記スタート地点の気象状態を検出して、前記スタート地点の気象状態に関する情報を前記無線通信ネットワークに送信するように構成されており、
前記ゴールユニットは、前記ゴール地点の気象状態を検出して、前記ゴール地点の気象状態に関する情報を前記無線通信ネットワークに送信するように構成されており、
前記制御ユニットは、前記スタート地点の気象状態に関する情報及び前記ゴール地点の気象状態に関する情報のうち少なくとも一方を前記無線通信ネットワークを介して受信すると、受信した気象状態に関する情報を前記情報出力装置に出力させるように構成されている、請求項１又は２に記載の競技用計測システム。
【請求項４】
前記スタートユニットは、前記スタートユニットの動作に関する情報を前記無線通信ネットワークに送信するように構成されており、
前記ゴールユニットは、前記ゴールユニットの動作に関する情報を前記無線通信ネットワークに送信するように構成されており、
前記制御ユニットは、前記スタートユニットの動作に関する情報及び前記ゴールユニットの動作に関する情報のうち少なくとも一方を前記無線通信ネットワークを介して受信すると、受信した動作に関する情報を前記情報出力装置に出力させるように構成されている、請求項１〜３の何れかに記載の競技用計測システム。